【手続補正書】
【提出日】平成17年12月13日(2005.12.13)
【手続補正１】
【補正対象書類名】明細書
【補正対象項目名】特許請求の範囲
【補正方法】変更
【補正の内容】
【特許請求の範囲】
【請求項１】振れ量を検出する振れ検出手段と、該振れ検出手段の出力を変位信号に変換する変換手段と、該変換手段の出力を元に画像の振れを補正する振れ補正手段と、振れ量に関する表示を行う表示手段とを有する振れ補正機能付き装置において、
前記表示手段での表示を、表示開始から第１の時間経過までは、前記振れ検出手段の出力に応じた第１の表示とし、前記第１の時間経過後は、前記振れ検出手段の出力に前記振れ補正手段の効果を加味した第２の表示とする表示制御手段を有することを特徴とする振れ補正機能付き装置。
【請求項２】前記第１の時間は、表示開始から前記振れ検出手段の出力安定までの時間であることを特徴とする請求項１記載の振れ補正機能付き装置。
【請求項３】前記第１の時間は、表示開始から前記変換手段の出力安定までの時間であることを特徴とする請求項１記載の振れ補正機能付き装置。
【請求項４】前記第１の時間は、表示開始から前記振れ補正手段の動作可能となるまでの時間であることを特徴とする請求項１記載の振れ補正機能付き装置。
【請求項５】振れ量を検出する振れ検出手段と、該振れ検出手段の出力を変位信号に変換する変換手段と、該変換手段の出力を元に画像の振れを補正する振れ補正手段と、振れ量に関する表示を行う表示手段とを有する振れ補正機能付き装置において、
前記表示手段での表示を、表示開始から第２の時間経過までは、前記振れ検出手段および前記変換手段の出力に無関係な第３の表示とする表示制御手段を有することを特徴とする振れ補正機能付き装置。
【請求項６】前記第３の表示は、警告を意味する表示であることを特徴とする請求項５記載の振れ補正機能付き装置。
【請求項７】前記第２の時間は、表示開始から前記振れ検出手段の出力が安定するまでの時間であることを特徴とする請求項５記載の振れ補正機能付き装置。
【請求項８】前記第２の時間は、表示開始から前記変換手段の出力が安定するまでの時間であることを特徴とする請求項５記載の振れ補正機能付き装置。
【請求項９】前記第２の時間は、表示開始から前記振れ補正手段の動作可能となるまでの時間であることを特徴とする請求項５記載の振れ補正機能付き装置。
【請求項１０】振れ量を検出する振れ検出手段と、該振れ検出手段の出力を変位信号に変換する変換手段と、該変換手段の出力を元に画像の振れを補正する振れ補正手段と、振れ量に関する表示を行う表示手段とを有する振れ補正機能付き装置において、
前記表示手段での表示を、表示開始から第１の時間経過までは前記振れ検出手段の出力に応じた第１の表示とし、前記第１の時間が経過してから該第１の時間よりも長い第３の時間が経過すると、前記振れ検出手段の出力に振れ補正手段の効果を加味した第２の表示とすると共に、前記第１の表示から前記第２の表示へ表示切り換えを徐々に行う表示制御手段を有することを特徴とする振れ補正機能付き装置。
【請求項１１】前記第１の時間は、表示開始から前記振れ検出手段の出力安定までの時間であることを特徴とする請求項１０記載の振れ補正機能付き装置。
【請求項１２】前記第１の時間は、表示開始から前記変換手段の出力安定までの時間であることを特徴とする請求項１０記載の振れ補正機能付き装置。
【請求項１３】前記第１の時間は、表示開始から前記振れ補正手段の動作可能となるまでの時間であることを特徴とする請求項１０記載の振れ補正機能付き装置。
【請求項１４】前記第３の時間は、表示開始から前記振れ検出手段の出力安定までの時間であることを特徴とする請求項１０記載の振れ補正機能付き装置。
【請求項１５】前記第３の時間は、表示開始から前記変換手段の出力安定までの時間であることを特徴とする請求項１０記載の振れ補正機能付き装置。
【請求項１６】前記第１の時間と第３の時間の和が、表示開始から前記振れ補正手段の動作可能となるまでの時間であることを特徴とする請求項１０記載の振れ補正機能付き装置。
【請求項１７】請求項１〜１６記載の何れかの振れ補正機能付き装置と、撮影光学系とは独立したファインダ光学系とを有するカメラ。
【手続補正２】
【補正対象書類名】明細書
【補正対象項目名】００１２
【補正方法】変更
【補正の内容】
【００１２】
【課題を解決するための手段】上記第１の目的を達成するために、請求項１〜４又は１７記載の本発明は、振れ量を検出する振れ検出手段と、該振れ検出手段の出力を変位信号に変換する変換手段と、該変換手段の出力を元に画像の振れを補正する振れ補正手段と、振れ量に関する表示を行う表示手段とを有する振れ補正機能付き装置又はカメラにおいて、前記表示手段での表示を、表示開始から第１の時間経過までは、前記振れ検出手段の出力に応じた第１の表示とし、前記第１の時間経過後は、前記振れ検出手段の出力に前記振れ補正手段の効果を加味した第２の表示とする表示制御手段を有する振れ補正機能付き装置又はカメラとするものである。
【手続補正３】
【補正対象書類名】明細書
【補正対象項目名】００１３
【補正方法】削除
【補正の内容】
【手続補正４】
【補正対象書類名】明細書
【補正対象項目名】００１４
【補正方法】変更
【補正の内容】
【００１４】
また、上記第２の目的を達成するために、請求項５〜９又は１７記載の本発明は、振れ量を検出する振れ検出手段と、該振れ検出手段の出力を変位信号に変換する変換手段と、該変換手段の出力を元に画像の振れを補正する振れ補正手段と、振れ量に関する表示を行う表示手段とを有する振れ補正機能付き装置において、前記表示手段での表示を、表示開始から第２の時間経過までは、前記振れ検出手段および前記変換手段の出力に無関係な第３の表示とする表示制御手段を有する振れ補正機能付き装置又はカメラとするものである。
【手続補正５】
【補正対象書類名】明細書
【補正対象項目名】００１５
【補正方法】削除
【補正の内容】
【手続補正６】
【補正対象書類名】明細書
【補正対象項目名】００１６
【補正方法】変更
【補正の内容】
【００１６】
また、上記第３の目的を達成するために、請求項１０〜１６又は１７記載の本発明は、振れ量を検出する振れ検出手段と、該振れ検出手段の出力を変位信号に変換する変換手段と、該変換手段の出力を元に画像の振れを補正する振れ補正手段と、振れ量に関する表示を行う表示手段とを有する振れ補正機能付き装置又はカメラにおいて、前記表示手段での表示を、表示開始から第１の時間経過までは前記振れ検出手段の出力に応じた第１の表示とし、前記第１の時間が経過してから該第１の時間よりも長い第３の時間が経過すると、前記振れ検出手段の出力に振れ補正手段の効果を加味した第２の表示とすると共に、前記第１の表示から前記第２の表示へ表示切り換えを徐々に行う表示制御手段を有する振れ補正機能付き装置又はカメラとするものである。
【手続補正７】
【補正対象書類名】明細書
【補正対象項目名】００１７
【補正方法】削除
【補正の内容】
【手続補正８】
【補正対象書類名】明細書
【補正対象項目名】００６５
【補正方法】変更
【補正の内容】
【００６５】
この実施の第３の形態では、表示開始後、第１の所定時間経過までは、補正レンズＨの効果を考慮しない判定レベル（３）および（４−１）〜（４−６）式での判定を行い、さらに表示開始してから第１の所定時間経過後、第４の所定時間（＝第３の所定時間×２）をかけて、常時の判定レベルを補正レンズＨの効果を考慮しない判定レベル（３）および（４−１）〜（４−６）式での判定から、補正レンズＨの効果を考慮した判定レベル（５）および（４−１）〜（４−６）式の各判定基準値を４倍にした基準値での判定に徐々に切り換える。
【手続補正９】
【補正対象書類名】明細書
【補正対象項目名】００７２
【補正方法】変更
【補正の内容】
【００７２】
次のステップ＃３１２においては、先にステップ＃３１０にてスタートさせた第３のタイマが第３の所定時間に達したか否かを判定し、達したことを判定するとステップ＃３１３へ進み、上記第３のタイマをクリアして再スタートさせる。そして、ステップ＃３１４において表示器１２の出力電圧を表示する基準レベルとして、補正レンズＨの効果を考慮した判定レベル（５）および（４−１）〜（４−６）式の各判定基準値を３倍にした基準値（基準レベルその４）での判定に切り換える。これにより、同じ手振れ量であっても、それまでバーグラフ表示で大きなレベルと表示されていたものが、比較基準レベルの変更によりバーグラフ表示で１／３に相当する小さなレベルに切り換わる。
【手続補正１０】
【補正対象書類名】明細書
【補正対象項目名】００８７
【補正方法】変更
【補正の内容】
【００８７】
また、上記実施の第３の形態によれば、表示開始後、第１の所定時間経過までは手振れ検出センサの出力に応じた第１の表示（図６のステップ＃３０８）を行い、前記第１の所定時間経過後、さらに第４の所定時間経過後に手振れ検出センサの出力に、補正レンズの効果を考慮した第２の表示（図６のステップ＃３１４……＃３１６）を行い、前記第４の所定時間内に、第１の表示から第２の表示に徐々に切り換える表示とするようにしているので、表示レベルの大きな変動を緩やかに示すことができ、これにより、コスト，スペースを余計に費やすことなく撮影者に補正の効果を理解でき得る効果がある。
【手続補正１１】
【補正対象書類名】明細書
【補正対象項目名】００８８
【補正方法】変更
【補正の内容】
【００８８】
同じく実施の第３の形態によれば、上記第１の所定時間を、表示開始後、手振れ検出センサの出力安定までの時間、手振れ信号を変位信号に変換する手段の出力安定までの時間、もしくは補正レンズの動作可能となるまでの時間とすることにより、コスト，スペースを余計に費やすことなく撮影者に補正の効果を理解させ得る効果があると共に、動作安定まで撮影者に待ってもらえる効果がある。
【手続補正１２】
【補正対象書類名】明細書
【補正対象項目名】００８９
【補正方法】変更
【補正の内容】
【００８９】
同じく実施の第３の形態によれば、上記第４の所定時間を、表示開始後、手振れ検出センサの出力安定までの時間、手振れ信号を変位信号に変換する手段の出力安定までの時間とすることにより、表示レベルの大きな変動を緩やかに示すことができ、これにより、コスト、スペースを余計に費やすことなく撮影者に補正の効果を理解させ得る効果があると共に、動作安定までを撮影者に待ってもら得る効果がある。
【手続補正１３】
【補正対象書類名】明細書
【補正対象項目名】００９０
【補正方法】変更
【補正の内容】
【００９０】
同じく実施の第３の形態によれば、上記第１の所定時間と第４の所定時間の和を、表示開始後、補正レンズの動作可能となるまでの時間とすることにより、表示レベルの大きな変動を緩やかに示すことができ、これにより、コスト，スペースを余計に費やすことなく撮影者が補正の効果を理解できる効果があるとともに動作安定までを撮影者に待ってもらえる効果がある。